(57)【要約】      （修正有）【課題】極めて構造が簡単堅牢で軽量コンパクトな構造で、一般家庭で持ち運びできさまざまな場所に簡単に設置出来る簡易太陽温水器を提供する。【解決手段】発泡スチロール式貯湯ポット１００と、前記ポット内の受湯口２０３に排湯口２０４を連通接続しポット内の排湯口２０４に受湯口２０３を連通接続した受熱パイプを黒色面板上に配置しそれの上方を透明フードで囲った太陽熱受熱器２００を発泡スチロール式貯湯ポット１００の上部に設置し、発泡スチロール式貯湯ポット１００に外部からの給水管３００と外部への給湯管４００を接続したことを特徴とする。【選択図】図１
0003150813.tif 000002
【実用新案登録請求の範囲】
【請求項１】
発泡スチロール式貯湯ポットと、前記ポット内の受湯口に排湯口を連通接続しポット内の排湯口に受湯口を連通接続した受熱パイプを傾斜させた黒色面板上に傾斜配置しそれの上方を透明フードで囲った太陽熱受熱器を発泡スチロール式貯湯ポットの上部に設置し、発泡スチロール式貯湯ポットに外部からの給水部と外部への給湯部を接続したことを特徴とする簡易太陽温水器。
【請求項２】
給水部とする給水管に給水バルブと空気流入バルブを介設し、給湯部とする給湯管に給湯バルブを介設したことを特徴とする請求項１に記載の簡易太陽温水器。
【請求項３】
発泡スチロール式貯湯ポットの下部にターンテーブルを装着した請求項１に記載の簡易太陽温水器。
【考案の詳細な説明】
【技術分野】
【０００１】
本考案は、簡易太陽温水器に関するものである。
【背景技術】
【０００２】
省エネルギーが叫ばれている今日においては、給湯用や暖房用などに各種の太陽熱利用の温水生成装置が広く用いられている。
一般的な太陽熱利用温水器は、容器に水を蓄え屋根や広いベランダ等に設置し大掛かりな水道配管工事必要とする大型のものが多い。
一例として特許文献１に紹介のものは、パイプ配置の集熱器とここへの給排水用の貯湯槽を、往き管と戻り管で接続すると共に、往き管の貯湯槽水面下部に熱媒体を強制的に循環させるための循環ポンプを設け、この循環ポンプを例えば太陽電池などで駆動している大型の装置がある。
また集熱効果が高いことから、真空二重集熱管式の太陽熱利用温水器ある。この温水器は、真空二重集熱管内に水を供給し、真空二重集熱管内で加熱されて生成された温水を管外へ導き利用する構成となっている。この真空二重集熱管内には水を供給する給水管と温水を管外へ導く温水導管が挿入され、そして真空二重集熱管の開口部は気密栓で密閉されている。
いずれにしてもこれらの太陽熱利用温水器は、容器に重量材料を使用して大型に製造されているため、設置場所が限られ移動が大変であることから借家・アパート・マンションにはほとんど設置されない。また高度の製作技術と設備を有する高価な構造のものである。
【０００３】
太陽熱利用の簡易な太陽熱利用温水器の一例として特許文献２の紹介のものは、一本の長い耐熱性の太いポリエチレンチューブを一定の長さで上下に折り曲げて貯水槽とし、ポリエチレンチューブ内部にパイプを挿入し、引掛け部を設け持ち上げても水の流れを妨げにくい構造にし、放熱を防ぐため透明な断熱シートを全体に覆い、ポリエチレンチューブ内の水を太陽熱で温めて使用する温水具がある。
しかし、ポリエチレンチューブなどの軟質樹脂では取り扱いが困難で、且つ破損が発生し易問題は解決されず商品化されていない。
【特許文献１】実登2539654号公報
【特許文献２】実登3143086号公報
【特許文献３】特許4034463号公報
【特許文献４】特許3968643号公報
【考案の開示】
【考案が解決しようとする課題】
【０００４】
本考案は、極めて構造が簡単堅牢で軽量コンパクトな構造で、一般家庭で持ち運びできさまざまな場所に簡単に設置出来る簡易太陽温水器を提供することである。
【課題を解決するための手段】
【０００５】
上記課題を満足させる本考案の基本的な技術構成は、次の(1)〜(3)の通りである。
(1)、発泡スチロール式貯湯ポットと、前記ポット内の受湯口に排湯口を連通接続しポット内の排湯口に受湯口を連通接続した受熱パイプを傾斜させた黒色面板上に配置しそれの上方を透明フードで囲った太陽熱受熱器を発泡スチロール式貯湯ポットの上部に設置し、発泡スチロール式貯湯ポットに外部からの給水部と外部への給湯部を接続したことを特徴とする簡易太陽温水器。
(2)、給水部とする給水管に給水バルブと空気流入バルブを介設し、給湯部とする給湯管に安全弁と給湯バルブを介設したことを特徴とする前記(1)の簡易太陽温水器。
(3)、発泡スチロール式貯湯ポットの下部にターンテーブルを装着した前記(1)の簡易太陽温水器。
【考案の効果】
【０００６】
本考案は発泡スチロール式貯湯ポットと受熱パイプ式の太陽熱受熱器とを一体的に組み込んだ簡単構造で安価に製作できるコンパクトでハンディな簡易太陽温水器であり、一般家庭におけるベランダや縁側、ポーチ、庭先などに置くだけで温水を利用できる大変便利なものである。
たとえば家庭内で少量を使用するお茶湯等が簡単に得られる。４月から９月までの前半年間は100℃程度の熱湯が数回得られ、そのまま真空ポットなどに入れて保温貯蔵し、10月から３月の後半年間では好天の時70〜80℃のお湯を数回得ることができこれを少ない熱量で加熱して熱湯にし、真空ポットなどに入れて保温貯蔵すれば、電気、ガスの大幅な節約にもなる。
また発泡スチロール式貯湯ポットの下部に旋回用のターンテーブルを設けて、太陽熱受熱器の受光面を太陽の向きに自在に旋回回動位置させることにより、当該受光面に常に直角の強い太陽光を受光させて熱交換効率を最大限に高めることができるものである。
【考案を実施するための最良の形態】
【０００７】
本考案を実施するための最良の形態は、次に紹介する実施例により詳細に説明する。
【実施例１】
【０００８】
図１と図２に実施例１を示す。
図１は本例の簡易太陽温水器の縦断面説明図である。
図２は、図１の矢視Ａ-Ａからの平面説明図である。
図３は、実施例１の一部変形例を示す縦断面説明図である。
図１〜図３において、簡易太陽温水器は、発泡スチロール式貯湯ポット100と、発泡スチロール式貯湯ポット100の上に一体的に設けた太陽熱受熱器200とからなる。
発泡スチロール式貯湯ポット100は、発泡スチロール製で、外枠110で保形保持し、受湯口管101と排湯口管102を設けてある。
太陽熱受熱器200は、太陽側に好ましくは直角に向けた所謂傾斜させて吸熱機能を持たせた黒色面板210上に蛇行配置したビニール等の樹脂製の透明な細い受熱パイプ201と、それの上方を囲った一重又は二重以上に重ねた透明フード202とからなり、受熱パイプ201は、受湯口203を発泡スチロール式貯湯ポット100の排湯口管102に連通接続し、排湯口204を発泡スチロール式貯湯ポット100の受湯口管101に連通接続してある。
発泡スチロール式貯湯ポット100の受湯口管101には、三方弁式の給湯・循環受湯の切り替え弁（給湯弁を兼ねる）401を介して浮遊回動パイプ403に連通接続する一方、外部への給湯部として給湯バルブ402を介設した給湯管400に接続し給湯バルブ402の出口には、真空ポット500を常設しておき給湯・循環受湯の切り替え弁401の切り替えと給湯弁402により何時でも熱湯を貯蔵保温できるようにしてある。
排湯口管102には、三方弁式の給水・循環排湯の切り替え弁（給水弁を兼ねる）301を介して給水管300を接続し、給水管300には空気流入バルブ302を介設してある。
浮遊回動パイプ403はポット内の先端口に浮き子400-1を装着し中間部にフレキシブル部400-2を介設して上下回動自在にし、液面が変動しても先端給排口を常に液面直下に追従させて給湯・循環受湯の切り替え弁401の切り替えにより常時給湯且つ受湯可能にしてある。
これで切り替え弁301と切り替え弁401の切り替え作動により、ポット内の水は発泡スチロール式貯湯ポット100と太陽熱受熱器200の受熱パイプ201間を自然循環対流して徐々に高温度に上昇し熱湯となる。またポット内への給水とポット外への給湯が随時可能である。
また発泡スチロール式貯湯ポット100の上部にはポット内部の滞留蒸気を逃がす安全弁103を設けてある。
給水管300には図示していないが、発泡スチロール式貯湯ポット100内の液面レベルを所定範囲内に維持するために浮き子の上下作動で開閉作動する開閉弁とからなる一般公知の浮き子式自動給水機構を設置することができる。
図３に示す変形例のように、給水管300に代わって適宜な密閉式の給水口蓋310を設けて簡易給水を可能にし、給湯管430に開閉弁412を、排湯口管102に開閉弁413を設け、給湯部として手動ピストンシリンダー式411の手押しポンプ410やの蛇腹式ポンプと一対簡易開閉弁を用いた簡易ポンプ等を設けることにより、開閉弁412を開にし開閉弁413を閉にし、手押しポンプ410でその空気管420からポット100内に空気を導入加圧すればその圧力で給湯管430から開閉弁412を介して外部に給湯することができ、又ポット内の水を空の受熱パイプ201に給水する際は、開閉弁412を閉にし開閉弁413を開にして、手押しポンプ410でその空気管420からポット100内に空気を導入加圧すればその圧力で受熱パイプ201に給水することも容易にできる。
また、発泡スチロール式貯湯ポット100の外枠110の下部に旋回用のターンテーブル600を設けて、太陽熱受熱器200の受光面220を太陽の向きに自在に旋回回動位置させることができる。
またターンテーブル600に回転機構として、ゼンマイとラチエットと歯車機構等を用いた日時計式回転装置や、太陽の動きに同期する回転モータ機構などを付設して、ターンテーブル600をその半回転程度の旋回で太陽熱受熱器200の受光面を太陽の動きに追随旋回させて、更には、透明フード202の受光面の傾斜角度も四季に応じて数段回に可変できるように傾斜角度調整機構（回転軸機構）700を設けて、矢印θのように透明フード202の受光面の傾斜角度を調節して当該受光面に常に直角の強い太陽光を受光させて熱交換効率を最大限に高めることができるものである。
傾斜角度調整機構（回転軸機構）700を設ける際は、排湯口102と受湯口101の管部は蛇腹式にして太陽熱受熱器200の回動に支障を与えないようにする。
【産業上の利用可能性】
【０００９】
本考案は、本考案は発泡スチロール式貯湯ポットと受熱パイプ式の太陽熱受熱器とを一体的に組み込んだ簡単で堅牢な構造のため安価に製作できるコンパクトでハンディな簡易太陽温水器であり、一般家庭におけるベランダや縁側、ポーチ、庭先などに置くだけで電気、ガスを大幅に節約して熱水を利用できる大変便利なもので広く普及することができ、この種産業界に多大な貢献をもたらす。
【図面の簡単な説明】
【００１０】
【図１】本考案の実施例１を示す縦断面説明図である。
【図２】図１の矢視Ａ-Ａからの平面説明図である。
【図３】本考案の実施例１の一部変形例を示す縦断面説明図である。
【符号の説明】
【００１１】
100    発泡スチロール式貯湯ポット
200    太陽熱受熱器200
300    給水管
400    給湯管
500    真空ポット
600    ターンテーブル
700    傾斜角度調整機構
【図１】
0003150813.tif 000003
【図２】
0003150813.tif 000004
【図３】
0003150813.tif 000005